(57)【要約】【課題】本発明は、使用者の需要に応じて、タイムリーに氷を供給することができる冷蔵庫を提供することを目的とする。【解決手段】冷凍貯蔵室４を有する本体１と、前記冷凍貯蔵室４に設けた自動製氷機２０と、この自動製氷機２０によって生成された氷を貯氷する貯氷容器１６と、この貯氷容器１６に貯氷された氷の量が一定量以上か否かを検知する満氷検知手段４３（Ｓ４）と、この満氷検知手段４３により一定量以上検知した場合に、貯氷された氷の量が一定量以上であることを使用者に報知する（Ｓ５）報知手段５３とを備えたことを特徴とする冷蔵庫。【選択図】  図１
2005042959.tif 000002
【特許請求の範囲】
【請求項１】
冷凍貯蔵室を有する本体と、前記冷凍貯蔵室に設けた自動製氷機と、この自動製氷機によって生成された氷を貯氷する貯氷容器と、この貯氷容器に貯氷された氷の量が一定量以上か否かを検知する満氷検知手段と、この満氷検知手段により一定量以上検知した場合に、貯氷された氷の量が一定量以上であることを使用者に報知する報知手段とを備えたことを特徴とする冷蔵庫。
【請求項２】
冷蔵貯蔵室と冷凍貯蔵室を有する本体と、前記冷蔵貯蔵室に取外し自在に設けた給水タンクと、前記冷凍貯蔵室に設けた自動製氷機と、前記給水タンクからの水を前記自動製氷機に給水する給水手段と、前記給水タンクの貯水量が一定量以下か否かを検知する水切れ検知手段と、この水切れ検知手段により一定量以下を検知した場合に、給水タンク内の水が一定量以下であることを報知する給水報知手段と、前記自動製氷装置によって生成された氷を貯氷する貯氷容器と、この貯氷容器に貯氷された氷の量が一定量以上か否かを検知する満氷検知手段と、この満氷検知手段により一定量以上検知した場合に、貯氷された氷の量が一定量以上であることを使用者に報知する満氷報知手段とを備えたことを特徴とする冷蔵庫。
【請求項３】
給水報知手段と満氷報知手段は同一の発光素子を兼用して、点灯させることにより使用者に報知することを特徴とする請求項２記載の冷蔵庫。
【請求項４】
水切れ検知手段により一定量以下を検知した場合と、満氷検知手段により一定量以上を検知した場合との発光素子の点灯表示を異ならせることを特徴とする請求項３記載の冷蔵庫。
【請求項５】
給水報知手段と満氷報知手段はアラームにより報知するとともに、水切れ検知手段により一定量以下を検知した場合と、満氷検知手段により一定量以上を検知した場合とのアラーム音を異ならせることを特徴とする請求項２ないし４のいずれかに記載の冷蔵庫。
【発明の詳細な説明】
【０００１】
【発明の属する技術分野】
本発明は、自動製氷機が設けられ、生成した氷を貯氷容器に貯氷する冷蔵庫に関する。
【０００２】
【従来の技術】
従来の給水装置および自動製氷機よりなる自動製氷の構成について説明する。給水装置は、給水タンク内の底部に設けられた給水ポンプを一定時間運転して自動製氷機の製氷皿に給水している。自動製氷機は、給水によって生じた製氷皿の温度上昇、例えば、−９℃まで上昇すると、所定量給水されたと判断して製氷を開始し、冷却作用により製氷皿の温度が所定温度、例えば−１２℃以下になると製氷が完了したと判断する。そして製氷皿を反転させて下方に設けた貯氷容器に離氷するようになっている。
【０００３】
給水タンクの貯水量が少なくなった場合は、給水動作を行っても、所定量、例えば５０ｃｃ以上の水が製氷皿に給水されず、製氷皿の温度は所定温度まで上昇しない。よって、このような場合には、給水タンクに水が少なく、または無くなっていると判断して（以下、水切れとする）、その後の離氷動作、または給水動作を行わないようにしている。
この水切れ状態では、所定量の給水がなされず正常な大きさの氷を製氷をすることできないため、使用者に水切れが生じていることを報知して、給水タンクに補水してもらうことが好ましく、このときの報知方法としてはＬＥＤなどの発光素子を点灯させたり、アラーム音などで報知する方法が知られている（例えば、特許文献１）。
【０００４】
一方、自動製氷機に設けられた検氷レバーは、貯氷容器の貯氷量が一定量以上（以下、満氷とする）か否かを検知する。このとき、貯氷容器が満氷であると、貯氷容器を引き出すときに貯蔵された氷と自動製氷機が衝突してしまったり、正常に製氷皿が回転できなくなるなどの不具合が生じるため、給水タンクに水が十分残っていても、その後の離氷動作、または給水動作を行わないようにしている。
【０００５】
【特許文献１】
特開平１１−２１８３７４号公報
【０００６】
【発明が解決しようとする課題】
しかしながら、一般的に、貯氷容器が満氷であれば製氷動作が停止することについて、使用者は認識しているものの、視覚的に満氷検知されているとは思えない状態で製氷動作が停止してしまっている場合がある。
例えば、検氷レバーは、貯氷容器の中央部より庫内奥側の貯氷量を検知するため、貯氷容器の前方には貯氷できるスペースがあったとしても、満氷を検知する場合がある。また、貯氷された氷を満氷と判断する一定量は、引出し動作または製氷動作を確実に行わせるために、ある程度余裕を持たせて設定しているため、使用者によっては、視覚的に満氷検知されているとは思えない場合があるのである。
【０００７】
このため、自動製氷機が満氷を検知している場合においても、前方に貯氷できるスペースがあったり、貯氷量から判断してまだ満氷ではないと誤認してしまうことがあり、使用者が氷を大量に欲しくても、いつまで経っても貯氷量が増えず、タイムリーに氷を供給することができないという不具合が生じる。また、貯氷されるのをずっと待っているのに、製氷されないことから、自動製氷機が故障していると誤認する恐れもある。
【０００８】
本発明は上記問題点を考慮してなされたものであり、使用者の需要に応じて、タイムリーに氷を供給することができる冷蔵庫を提供するものである。
【０００９】
【課題を解決するための手段】
本発明は、冷凍貯蔵室を有する本体と、前記冷凍貯蔵室に設けた自動製氷機と、この自動製氷機によって生成された氷を貯氷する貯氷容器と、この貯氷容器に貯氷された氷の量が一定量か否かを検知する満氷検知手段と、この満氷検知手段により一定量検知した場合に、貯氷された氷の量が一定量以上であることを使用者に報知する報知手段とを備えたことを特徴とするものである。
【００１０】
本発明によれば、満氷を検知した場合に、使用者に満氷である旨を報知するため、満氷による製氷動作の停止を使用者が確実に認識することができる。このため、さらに氷が欲しい場合には、貯蔵された氷に満氷を検知する例えば、検氷レバーが当たらないように、氷を移し変えたりなど、その後の製氷動作を行わせるための対応を行うことができ、製氷動作の停止時間を極力短くして、使用者の需要に応じタイムリーな供給をすることができるのである。
【００１１】
【発明の実施の形態】
以下、図面に基づいて、本発明の１実施形態を説明する。図２は本発明の冷蔵庫を示す正面図である。冷蔵庫本体１は、上から順に冷蔵貯蔵室を構成する冷蔵室２、野菜室３と、冷凍貯蔵室を構成する製氷室４、切替室５、冷凍室６を配設しており、図示しないが本体内に配置された冷凍サイクルの冷却器、ファン、及び冷気制御ダンパなどにより各室の温度が設定温度に調節されている。
冷蔵室２の前面には、開口を開閉自在に閉塞する冷蔵室扉２ａを設けており、この扉２ａの前面下部には、操作パネル５０を取り付けている。
【００１２】
図５は、この操作パネル５０を示す拡大図である。操作パネル５０には、各室の温度または設定温度や運転機能をセグメント表示し、ＬＥＤなどの照射により点灯点滅する表示部５１と、各室の設定温度を切替えたり、運転機能の投入・解除操作を行う操作部６０と、急速冷凍運転などの冷却運転完了や長時間開扉されたり、操作部６０を操作されたときに、音声やブザーなどによりスピーカーを介して報知する音声部５２とを設けている。
操作部６０は、冷蔵室ボタン６１、冷凍室ボタン６２、タイマボタン６３、切替室ボタン６４、急速冷凍ボタン６５より構成されており、冷蔵室ボタン６１、冷凍室ボタン６１、切替室ボタン６４は、その押圧回数によりそれぞれの室内の設定温度が変更され、また、急速冷凍ボタン６５の押圧により、急速冷却モードを選択された後、冷蔵室ボタン６１、冷凍室ボタン６２の操作により冷却時間を設定し、タイマボタン６３の押圧により、その急速冷却の開始、停止を操作するようにされている。
【００１３】
５３は、ＬＥＤなどの発光素子により構成された給水／満氷報知部であり、後述する水切れを検知した場合、または、満氷を検知した場合に発光素子が点灯または点滅するようになっている。この発光素子の上部には、「給水／満氷」の文字が操作パネル５０に印刷されており、発光素子の点灯または点滅により、水切れまたは満氷であることを使用者に喚起することができるようになっている。
【００１４】
図３は、図２の冷蔵庫の自動製氷装置部分を示す概略縦断面図である。この図３に示すように、冷蔵室２の底部には、給水タンク１０が着脱可能に設けられており、給水タンク１０の上部の蓋には、タンク内の水を外部に給水するための吐出パイプ１１を一体に形成している。吐出パイプ１１の一端は給水タンク１０内の底面まで延びて、給水タンク１０の隅部に設け磁石を内蔵したインペラを有する給水ポンプ９と接続しており、他端は給水タンク１０の上方より庫内背面を経由して製氷室４に設置した自動製氷機２０に導かれている。前記給水ポンプ９と対向する給水タンク１０の外方の本体側には先端に磁石を備えた給水モータ１２を設置しており、その磁石を前記給水ポンプ９の磁石と近接させて、給水モータ１２の回転力を非接触で給水ポンプに伝達し給水する、いわゆるマグネットカップリング式に構成されている。
【００１５】
給水タンク１０内の水は、後述する制御装置４０からの給水指令により、給水モータ１２を回転させて給水ポンプ９から吐出パイプ１１を介して吸い上げ、他端より庫内後方の壁面に設けた水受皿１３に導く。そして、野菜室３の背面に配置した給水パイプ１４を介して、製氷室４内に設けた自動製氷機２０の製氷皿３０に給水する。
なお、給水装置１７とは、給水ポンプ９、吐出パイプ１１、給水モータ１２、水受皿１３、給水パイプ１４の一連の構成をいう。
【００１６】
製氷室４には、引出し式の製氷室扉４ａの開扉とともに庫外に大部分が取出される貯氷容器１６（以下、貯氷容器とする）、上壁に配置した自動製氷機２０、冷却器による冷気を吹き出す冷気吹出口１５を設けている。自動製氷機２０には、駆動モータやギアトレーン等からなる駆動機構や製氷皿の回転位置を検出する位置検出装置を貯氷した駆動装置２２、及びこの駆動装置２２の背面から突出する駆動機構の出力軸に一端側が連結された製氷皿３０が配置されており、製氷皿３０の他端側は、製氷皿３０の２側辺を抱持するように駆動装置２２に取付けた枠体２１によって回動可能に軸支されている。
【００１７】
製氷皿３０は、全体として矩形の薄形容器形状をなし、上面を開放するとともに下方に凸形状となる複数個、この場合は８個の製氷ブロック３１を形成しており、通常給水される給水量は１００ｃｃとなっている。
製氷の完了は、製氷皿３０の裏面に取付けた温度センサ３１（以下、Ｉセンサとする）が所定温度、例えば−１２℃を検知することにより検知するように制御されている。そして、製氷が完了して離氷する際には、製氷皿３０は駆動機構２２により回動され上下反転するように構成されており、製氷皿３０の反転時には、前記枠体に設けたストッパー部によって製氷皿３０の他端を係止し、他端側の回動を規制して製氷皿３０にひねりを与えて製氷皿３０壁面から氷を剥離するようにしている。
製氷皿３０を反転して離氷し氷を貯氷容器１６に落下させた後は、再び製氷皿３０を逆方向へ回転させて元の水平位置に戻すように動作する。
【００１８】
また、駆動装置２２の側面には、貯氷容器１６の貯氷量を検知する検氷レバー２４が駆動装置２２による製氷皿の回転動作と連動するように取付けられている。この検氷レバー２４は、離氷動作前に下方に動作させることで貯氷容器１６内の氷量を検知するものであり、貯氷量が一定量より多く検氷レバー２４を氷の表面より所定量下げることができない場合は、満氷状態を検知して以降の離氷、及び給水動作を停止し、氷が取り出されて貯氷量が減るまで待機するものである。この場合、一定量とは、貯氷容器１６にある程度貯氷された状態であり、かつ製氷動作や貯氷容器１６の引出し動作を正常通りに行える程度の貯氷量を言う。
【００１９】
次に、図４に示すブロック図に基づいて、本発明の制御回路並びに各機構の動作について説明する。
制御装置４０には、冷蔵室扉２ａおよび製氷室扉４ａの開閉動作を検知するＲドアスイッチ３３とＩドアスイッチ３２より、それぞれの扉開閉信号が入力されるとともに、操作部６０より、庫内温度などの調整信号が入力される。
検氷レバー２４は、検氷信号を制御装置４０に出力するようになっている。具体的には、検氷動作の際にレバーを所定時間、例えば５秒かけて、一定量下降させるが、この間に一定量下降できたか否かを制御装置４０に出力する。
【００２０】
Ｉセンサ３１は、製氷皿３０の温度を検知して制御装置４０に出力するようになっており、制御装置４０に内蔵されたタイマ４５は、各動作におけるタイミングからの時間をカウントし、例えば、給水動作の時間、給水後からの時間、駆動装置２２を駆動させる時間などを測定している。
制御装置４０より給水信号が給水モータ１２に出力されると、所定時間電圧を供給して、給水ポンプ９のインペラを回転させることにより水を自動製氷機２０に供給するようになっている。
【００２１】
自動製氷機２０は、制御装置４０からの信号に基づいて動作をする。具体的には、制御装置４０に内蔵された満氷検知手段４３により、貯氷容器１６内の氷量の確認を指令する検氷信号を自動製氷機２０に出力して、検氷レバー２４を動作させる。また、製氷が完了して離氷を指令する離氷信号が自動製氷機２０に入力されると、製氷皿３１を反転動作させるべく駆動装置２２を駆動させる。
この満氷検知手段４３は、貯氷量が満杯のときには、氷と衝突して検氷レバーを一定量下降させることができないため、かかる場合に満氷と判断し、離氷動作を停止するとともに検氷レバーを初期位置に戻して待機させる。この場合、製氷室扉４ａが開扉されると、貯蔵されている氷が取出されたと仮定して、閉扉された後に、待機状態を解除して再び貯氷容器１６内の検氷を行うようになっている。
【００２２】
満氷報知手段４１は、満氷検知手段４３により満氷を検知すると、給水／満氷報知部５３を点灯させて、使用者に水切れまたは満氷であることを報知する。このとき、音声部５２は、１０分に１回の周期でアラームを鳴らすように制御されている。なお、アラーム音は、ブザーや人工音声などであってもよい。また、アラーム音は操作部６０の操作により任意に解除できるようになっている。
【００２３】
水切れ検知手段４４は、給水タンク１０に水が無くなったか否か、すなわち水切れを検知する。離氷を終えて給水されていない状態の製氷皿３０の温度は、例えば−１２℃程度であるが、給水装置１７により所定量、例えば３℃の水が１００ｃｃ給水されると製氷皿３０の温度は、例えば−９℃以上に上昇する。逆に、給水タンク１０内の水が少なく、給水量が、例えば５０ｃｃと少ないときは、温度上昇も少ないため所定温度として設定した−９℃まで達しない。よって、製氷皿３０に給水されてからタイマ４４のカウントが所定時間、例えば１５分以上経過しても、温度センサ３５の検知温度が所定温度以上に達しないと、制御装置４０の水切れ検知手段４４により水切れと判断する。
この水切れ検知手段４４により水切れが検知されると、給水タンク１０には水が無いと判断したことから原則的にその後の給水動作を停止させる。この停止状態を解除するためには、給水タンク１０内の温度を測定する水温センサなどを設けて給水されたことを検知する方法や、冷蔵室扉２ａが所定時間、例えば３０秒以上開扉されると給水タンク１０を取外して給水された可能性があるため、かかる場合には、給水されたとみなして停止状態を解除する方法などが考えられる。
【００２４】
次に、図１のフローチャートに基づき、本発明の作用について説明する。
正常に所定量給水された状態において、ステップ１では、第１所定時間経過したか否かを検知し（Ｓ１）、第１所定時間以上経過すればステップ２進む。ここでいう、第１所定時間とは、給水後から製氷が完了するために要する最短の冷却時間を実験などにより求めた値であり、本実施例では、９０分間とする。
給水された水が氷になると温度低下し、これに伴って製氷皿３０温度も低下するため、ステップ２では、製氷完了の温度、ここでは−１２℃に達したか否か検知する（Ｓ２）。−１２℃以下であれば製氷が完了していると判断して、ステップ４に進み、達していなければ製氷が完了していないと判断して、ステップ２を繰り返す。
【００２５】
ステップ３では、製氷が完了しても貯氷容器１６が満杯であると離氷できないため、満氷検知手段４３により検氷レバー２４を検氷させて満氷か否かを検知して（Ｓ３）、満氷でなければステップ７に進み離氷する（Ｓ７）。
一方、満氷であればステップ５に進み、満氷報知手段４１をＯＮさせる（Ｓ５）。具体的には、給水／満氷報知部５３を発光させるとともに、音声部５２によりアラームを鳴らして、使用者に満氷であることを報知し、製氷動作は停止しているため、氷がさらに欲しい場合には、氷を移し変えるなどの対応が必要である旨の注意を促す。なお、離氷動作は待機させておく。
【００２６】
製氷室扉４ａが開扉されると、貯氷容器１６に貯氷された氷を利用される可能性があるため、ステップ６において、製氷室扉４ａが開扉されたか否かを検知して（Ｓ６）、開扉されれば氷が使用されたとみなしてステップ４に戻り、再度満氷か否かを検知する（Ｓ４）。
ステップ７では、満氷状態ではなくなったため、満氷報知手段４１を解除して（Ｓ７）、ステップ８に進む。
ステップ８では、制御装置４０の離氷信号により、自動製氷機２０の製氷皿３０を反転させて離氷すると（Ｓ８）、製氷皿３０は空の状態となるため、給水して再び製氷を開始する（Ｓ９）。
ステップ１０では、給水開始から第２所定時間、ここでは１５分以上経過したか否かを検知し、１５分経過していればステップ１１に進む。
【００２７】
ステップ１１では、Ｉセンサ３１の検知温度が−９℃以上に達したか否かを検知する（Ｓ１１）。
通常、冷蔵室２に配置されている給水タンク１０の水は３℃程度であるため、所定量給水されると製氷皿３０は温度上昇する。このとき、例えば、−１２℃以下であった製氷皿３０の温度が、第２所定時間経過すると所定温度、例えば、−９℃以上に上昇する。しかし、所定時間経過しても所定温度に達しないということは、所定量給水されていないため、製氷皿３０が温度上昇しなかったということになる。
したがって、Ｉセンサ３１の検知温度が−９℃以上であれば、所定量給水されたとしてステップ１に戻り、製氷動作を繰り返す。一方、検知温度が達していない場合には、所定量給水されなかったため、ステップ１２に進み、水切れ検知手段４４により水切れと判断する（Ｓ１１）。
【００２８】
ステップ１２では、水切れ報知手段４４をＯＮさせる（Ｓ１２）。具体的には、給水／満氷報知部５３を発光させるとともに、音声部５２によりアラームを鳴らして、水切れであることを使用者に報知し、給水する水がないため製氷できない旨の注意を促す。なお、水切れ状態であるため給水動作は待機させておく。
ステップ１３では、冷蔵室扉２ａが開扉されると、給水タンク１０に補水された可能性があるため、冷蔵室扉２ａが開扉されたか否かを検知して（Ｓ１３）、開扉されれば補水されたと仮定してステップ８に戻り、再度給水動作を行う（Ｓ９）。一方、開扉されなければ、補水される可能性はないため、給水動作を待機しておくようになっている。
【００２９】
上述した構成によれば、満氷検知手段４３により満氷を検知した場合に、満氷であることを報知するため、使用者には、満氷により製氷動作は停止され何もしなければこれ以上貯氷量が増えないと確実に認識することができる。よって、使用者がさらに氷を必要として場合には、氷を移し変える対応などを迅速に行うことができるため、満氷による製氷動作の停止時間を限りなく短くすることができ、使用者の需要に応じてタイムリーに氷を供給することができる。さらには、自動製氷機が故障していると誤認することも防止することができる。
【００３０】
また、従来の冷蔵庫では、前方に貯氷できるスペースがあったり、貯氷量から判断してまだ満氷ではないと誤認してしまい、氷を大量に必要としているのも拘らず、貯氷されないという不具合が生じることがあったが、本発明では、使用者に満氷であることを報知しているため、満氷であるか否かの判断が容易にすることができ、かかる不具合を防止することができる。
一方、その他にも製氷動作を停止させる水切れ状態時においても、使用者に補水が必要である旨を報知しているため、使用者の知らないうちに製氷動作が停止しているという不具合も防止することができる。
【００３１】
また、満氷報知手段４１と水切れ報知手段４２の一部である発光素子の点灯を、同一の発光素子、具体的には、給水／満氷報知部５３を併用して報知しているため、コストを低減することができるとともに、操作パネルの省スペース化を図ることができる。この場合、給水が必要なのか、満氷で製氷動作が行われないのかを区別することはできないが、使用者は、製氷動作が停止していることに気が付き、その後、給水タンク内の水を確認したり、貯氷容器１６の貯氷量を確認するだけで、いずれかまたは両者の状態であることを容易に認識することができ、製氷動作の停止状態を解除する対応を迅速に行うことができる。
【００３２】
上記点灯方法を異ならせることも可能である。この場合、例えば満氷を検知した場合には、発光素子を常時点灯させておき、一方、水切れを検知した場合には、発光素子を点滅させることにより、一目でどちらの状態なのかを区別することができ、上記のような確認の手間をなくすことができ、使用者の利便性を向上させることができる。この場合、点灯・点滅表示は取扱い説明書などに記載しておいたり、音声でその旨を伝えるようにしてあることが好ましい。
【００３３】
さらに、満氷報知手段４１と水切れ報知手段４２の一部であるアラーム音をそれぞれ異ならせてもよい。例えば、満氷を検知した場合には、アラーム音を「ピピ  ピ  ピ」と鳴るようにプログラムし、一方、水切れを検知した場合には、「ピピ  ピピ」と鳴るようにプログラムして、アラーム音を異ならせることにより、給水が必要なのか、または満氷で製氷動作が行われないのかを容易に区別することができる。なお、アラーム音は区別することができる程度のものであればよく、適宜変更可能であり、音声などによって行ってもよい。
【００３４】
さらにまた、上述した構成は、本発明の１実施形態に過ぎず、発明の要旨を逸脱しない限り様々な変更が可能である。例えば、図６は、給水／満氷報知部５３の他の実施形態を示すものであるが、ＬＥＤの点灯によるものだけでなく、表示部５１´に満氷状態および水切れ状態であることを報知する給水／満氷報知部５３´を１つのセグメントで表示するように変更することも可能である。かかる構成の場合には、パターンや点灯制御の簡略化を図ることがきる。
【００３５】
【発明の効果】
本発明によれば、使用者の需要に応じて、タイムリーに氷を供給することができる冷蔵庫を提供することができる。
【図面の簡単な説明】
【図１】本発明の１実施形態における制御方法を示すフローチャートである。
【図２】本発明の冷蔵庫を示す正面図である。
【図３】図２の冷蔵庫を簡略した縦断面図である。
【図４】本発明の制御方法を示すブロック図である。
【図５】本発明の操作パネルを示す説明図である。
【図６】他の実施形態の操作パネルを示す説明図である。
【符号の説明】
１…冷蔵庫            ２…冷蔵室                      ３…野菜室
４…製氷室            ６…冷凍室                      １０…給水タンク
１１…吐出パイプ        １２…給水モータ                  １３…水受け皿
１４…給水パイプ        １６…貯氷容器                    １７…給水装置
２０…自動製氷機        ２２…駆動装置                    ２４…検氷レバー
３０…製氷皿            ３１…温度センサ                  ３２…Ｉドアスイッチ
３３…Ｒドアスイッチ    ４０…制御装置                    ４１…満氷報知手段
４２…水切れ報知手段    ４３…満氷検知手段                ４４…水切れ検知手段
４５…タイマ            ５０…操作パネル                  ５１…表示部
５２…音声部            ５３…発光素子（給水／満氷報知部）      ６０…操作部
【図１】
2005042959.tif 000003
【図２】
2005042959.tif 000004
【図３】
2005042959.tif 000005
【図４】
2005042959.tif 000006
【図５】
2005042959.tif 000007
【図６】
2005042959.tif 000008